(57)【要約】【課題】限られた周波数帯域を有効に利用し、しかも配電線通信装置が他の配電線通信装置の入出力に影響を与えないためのインピーダンス制御を自動的に行うことができるようにする。【解決手段】同一配電線を介して複数の通信装置相互間で通信を行うネットワーク（８０１〜８０３）が複数個構築され、同一のネットワーク内の通信装置（２１１ａ〜２１１ｆ）相互間で送受信される情報フレーム（１００）が、当該ネットワークにおける通信で使用されない周波数帯域（Ｆ２，Ｆ３）において通信装置をハイインピーダンスにするための第１の制御情報（１０１ａ）と、使用されないキャリアに対応する周波数において、通信装置ハイインピーダンスにするための第２の制御情報（１０１ｂ）とを含む。【選択図】図８
2007281996.tif 000002
【特許請求の範囲】
【請求項１】
配電線を介してデータを通信する通信システムであって、
同一配電線を介して複数の通信装置相互間で通信を行うネットワークが複数個構築され、
上記同一のネットワークを構成する通信装置相互間で送受信される情報フレームが、
当該ネットワークにおける通信で使用されない周波数帯域において上記通信装置を上記配電線に対してハイインピーダンス状態にするための第１の制御情報と、
上記ネットワークにおける通信で使用される周波数帯域内の、使用されないキャリアに対応する周波数において、上記通信装置を上記配電線に対してハイインピーダンス状態にするための第２の制御情報とを含む
ことを特徴とする配電線通信システム。
【請求項２】
配電線を介して通信を行うネットワークを構成する通信システムにおいて使用される通信装置であって、
上記ネットワークにおいて使用されない周波数帯域において、上記通信装置を上記配電線に対してハイインピーダンス状態にするための第１の制御情報と上記ネットワークにおいて使用される周波数帯域の中の、使用されないキャリア周波数において上記通信装置を上記配電線に対してハイインピーダンス状態にするための第２の制御情報を抽出する手段と、
上記抽出された制御情報を解析する手段と、
配電線とのインターフェース手段と、
上記解析手段による解析結果に従って、上記インターフェース手段を、上記ネットワークにおいて使用されない周波数帯域及び使用されないキャリア周波数において上記配電線に対してハイインピーダンス状態となるように制御するインターフェース制御手段と
を備えたことを特徴とする配電線通信装置。
【請求項３】
送受信されるデータの変復調を行う物理層と、
上記解析手段による解析結果に従って、上記ネットワークにおいて使用される周波数帯域、又は使用されるキャリア周波数で上記物理層が変復調を行うように制御する物理層制御手段とをさらに備える
ことを特徴とする請求項２に記載の配電線通信装置。
【請求項４】
配電線を介して通信を行うネットワークを構成する通信システムにおいて使用される通信装置で用いられるインターフェース装置であって、
上記配電線に対して互いに並列に接続され、互いに異なる通過帯域を有する複数の第１の帯域通過フィルタと、
制御信号によって制御され、上記第１の帯域通過フィルタの各々を選択的に遮断する第１の遮断制御手段とを備え、
上記第１の帯域通過フィルタの各々が、互いに並列に接続され、当該第１の帯域通過フィルタの通過帯域を細分割した複数の通過帯域を有する複数の第２の帯域通過フィルタと、
制御信号によって制御され、上記第２の帯域通過フィルタの各々を選択的に遮断する第２の遮断制御手段とを備える
インターフェース装置。
【請求項５】
上記第１の遮断制御手段が、それぞれ上記第１の帯域通過フィルタの入力側または出力側に挿入された複数のスイッチであり、
上記第２の遮断制御手段が、それぞれ上記第２の帯域通過フィルタの入力側または出力側に挿入された複数のスイッチである
ことを特徴とする請求項４に記載のインターフェース装置。
【発明の詳細な説明】
【技術分野】
【０００１】
本発明は、配電線による通信を行う通信システムに関する。本発明はまたそのような通信システムで用いられる配電線通信装置に関する。本発明はさらにそのような配電線通信システムで用いられるインターフェース装置に関する。
【背景技術】
【０００２】
電力線を用いた電力線通信として配電線通信システムが知られている。この配電線通信システムでは、同一の配電線に複数の端末が接続され、端末間で通信を行う。各端末は配電線と接続されるモデムを備える。配電線に接続されたモデムの入出力インピーダンスを、配電線の特性インピーダンスにあわせることが望ましいが、配電線通信システムで用いられる電力線は、通信のためのインピーダンス管理をした設計は行われていないため、接続されるモデムの入出力インピーダンス特性により、インピーダンスが変動する。
【０００３】
配電線通信システムでは、同一配電線上で複数のネットワーク通信を行う場合、ネットワーク相互間の干渉が生じないように使用する周波数帯域を分けて通信を行う。しかし、モデムの入出力インピーダンスは、通常の通信で利用可能な周波数帯で、機器の設計に応じた値とされる。そのインピーダンス値が低く、他のモデムが使用する周波数帯域でもインピーダンスが低い場合、当該他のモデムにおける入出力に支障をきたすことがある。
【０００４】
そこで、時分割多重通信を行う配電線通信システムにおいて、割り当てられたタイムスロットや周波数帯域以外の周波数で、モデムをハイインピーダンスにすることにより、良好な通信を確保するようにすることが提案されている（特許文献１参照）。
【０００５】
【特許文献１】特開２００３−２４９０３７号公報
【発明の開示】
【発明が解決しようとする課題】
【０００６】
しかしながら、上記の方法では、比較的広い周波数帯域毎にインピーダンスを切り換えることとしており、限られた周波数帯域を有効に利用することができないという問題があった。
本発明は、限られた周波数帯域を有効に利用し、しかも配電線通信装置が他の配電線通信装置の入出力に影響を与えないためのインピーダンス制御を自動的に行うことができる配電線通信装置の提供を目的とする。
【課題を解決するための手段】
【０００７】
本発明は、
配電線を介してデータを通信する通信システムであって、
同一配電線を介して複数の通信装置相互間で通信を行うネットワークが複数個構築され、
上記同一のネットワークを構成する通信装置相互間で送受信される情報フレームが、
当該ネットワークにおける通信で使用されない周波数帯域において上記通信装置を上記配電線に対してハイインピーダンス状態にするための第１の制御情報と、
上記ネットワークにおける通信で使用される周波数帯域内の、使用されないキャリアに対応する周波数において、上記通信装置を上記配電線に対してハイインピーダンス状態にするための第２の制御情報とを含む
ことを特徴とする通信システムを提供する。
【発明の効果】
【０００８】
本発明によれば、配電線通信装置による複数ネットワークを構築する際に、相互のネットワーク間での干渉を低減し、最適な通信が可能となる。
【発明を実施するための最良の形態】
【０００９】
以下、本発明に係る実施の形態を図面に基づいて説明する。
図１は本発明の実施の形態の通信システムの一例を示す。図示の通信システムでは、同一配電線２０８にモデム２００ａ〜２００ｆを介して通信端末２０９ａ〜２０９ｆが接続されている。端末２０９ａ〜２０９ｆの各々と、対応するモデム２００ａ〜２００ｆにより通信装置２１１ａ〜２１１ｆが構成されている。
【００１０】
図示の例では、通信装置２１１ａ及び２１１ｂにより第１のネットワーク８０１が構築され、通信装置２１１ｃ及び２１１ｄにより第２のネットワーク８０２が構築され、通信装置２１１ｅ及び２１１ｆにより第３のネットワーク８０３が構築されている。
【００１１】
異なるネットワークでは互いに異なる周波数で通信が行われる。ここで言う異なる周波数は図２に示すように異なる周波数帯域（比較的広い帯域）を意味することもあり、図２における同じ周波数帯域（例えば周波数帯域Ｆ１）の中の異なるキャリア周波数、例えば、図３の周波数Ｆ１１〜Ｆ１ｎを意味することもある。各キャリア周波数は比較的狭い周波数帯域を有し、図２に示す周波数帯域の各々を細分割した周波数である。
【００１２】
例えば、第１のネットワーク８０１と第２のネットワーク８０２ではともに第１の周波数帯域Ｆ１が使用される。但し、第１のネットワーク８０１では、第１の周波数帯域Ｆ１の一部を成す周波数帯域Ｆ１３以外の部分（Ｆ１１、Ｆ１２、Ｆ１ｎなど）を用い、第２のネットワーク８０２では、第１の周波数帯域Ｆ１の上記した一部を成す周波数帯域Ｆ１３のみを用いて通信が行われる。第３のネットワークでは、第２の周波数帯域Ｆ２が使用される。
【００１３】
図４は、図１のモデム２００ａ〜２００ｆとして用いられるモデム２００を通信端末２０９とともに示す。図４では、モデム及び通信端末が添え字（「ａ」〜「ｆ」）なしの符号「２００」、「２０９」で示されている。以下複数のモデム２００ａ〜２００ｆや通信端末２０９ａ〜２０９ｆに共通の説明に際しては添え字なしの符号を用いる。
【００１４】
図４のモデム２００は、配電線インターフェース（ＩＦ）２０１と、物理層（ＰＨＹ）２０２と、ＭＡＣ（メディア・アクセス制御）層２０３と、通信インターフェース（ＩＦ）２０４と、情報解析手段２０５と、ＰＨＹ制御手段２０６と、ＩＦ制御手段２０７とを有する。
【００１５】
配電線ＩＦ２０１は配電線２０８に通信信号を入出力するためのものであり、入出力インピーダンス（配電線２０８に対するインピーダンス）が周波数毎に切り換え可能に構成されている。
ＰＨＹ層２０２は、配電線通信データを変復調する。
ＭＡＣ層２０３は、配電線通信の通信データおよび制御データを管理する。
通信インターフェース２０４は通信端末２０９と通信データをやり取りするものであり、例えばインサーネットインターフェースで構成される。
情報解析手段２０５は、受信した情報フレームから使用すべき周波数帯域を示す情報を解析抽出し、ＰＨＹ制御手段２０６とＩＦ制御手段２０７に制御情報を供給する。
ＰＨＹ制御手段２０６は、ＰＨＹ２０２が、情報解析手段２０５から供給された制御情報１０１で示される周波数で変復調を行うように制御する。
ＩＦ制御手段２０７は、配電線ＩＦ２０１が、情報解析手段２０５から供給された制御情報１０１で示される周波数で配電線２０８に対してハイインピーダンス状態となるように制御する。ここで「ハイインピーダンス状態」とは、インピーダンスが実質上無限大として扱って良いほど大きい値であること、即ち遮断状態であることを意味する。
【００１６】
図５は、図４の配電線ＩＦ２０１の構成の一例を示す。
図示の配電線ＩＦ２０１は、配電線２０８に対して互いに並列に接続され、互いに異なる周波数帯域を有する第１乃至第３のＢＰＦ（帯域通過フィルタ）３０１〜３０３と、これらと配電線２０８との間に挿入され、ＩＦ制御手段２０７の出力により制御されるスイッチ９０１〜９０３とを備える。
スイッチ９０１〜９０３はＩＦ制御手段２０７からの制御信号によって、いずれか一つのみが選択されてオン（導通状態）となり、他のスイッチはオフ（遮断状態）となるように制御される。
【００１７】
なお、図示の例では、スイッチ９０１〜９０３がＢＰＦ３０１〜３０３と配電線２０８の間に挿入されているが、スイッチ９０１〜９０３は、ＢＰＦ３０１〜３０３とＰＨＹ２０２の間に挿入されていてもよい。即ち、スイッチ９０１〜９０３は、ＢＰＦ３０１〜３０３の入力側に設けられていてもよく、出力側に設けられていてもよい。
【００１８】
第１のＢＰＦ３０１は、互いに並列に接続された第１乃至第ｎのＢＰＦ５１１〜５１ｎと、これらとスイッチ９０１との間に挿入され、ＩＦ制御手段２０７の出力により制御されるスイッチ９１１〜９１ｎとを備える。
第２のＢＰＦ３０２は、互いに並列に接続された第１乃至第ｎのＢＰＦ５２１〜５２ｎと、これらとスイッチ９０１との間に挿入され、ＩＦ制御手段２０７の出力により制御されるスイッチ９２１〜９２ｎとを備える。
第３のＢＰＦ３０３は、互いに並列に接続された第１乃至第ｎのＢＰＦ５３１〜５３ｎと、これらとスイッチ９０１との間に挿入され、ＩＦ制御手段２０７の出力により制御されるスイッチ９３１〜９３ｎとを備える。
【００１９】
なお、スイッチ９１１〜９１ｎ、９２１〜９２ｎ、９３１〜９３ｎは、ＢＰＦ５１１〜５１ｎ、５２１〜５２ｎ、５３１〜５３ｎとＰＨＹ２０２の間に挿入されていてもよい。即ち、スイッチ９１１〜９１ｎ、９２１〜９２ｎ、９３１〜９３ｎは、ＢＰＦ５１１〜５１ｎ、５２１〜５２ｎ、５３１〜５３ｎの入力側に設けられていてもよく、出力側に設けられていてもよい。
【００２０】
ＢＰＦ３０１〜３０３はそれぞれ、異なる帯域通過特性を有する。例えば図２に示すようにＢＰＦ３０１は、仮にその内部のスイッチ９１１〜９１ｎがすべてオンであれば、第１の周波数帯域Ｆ１を通過帯域とし、ＢＰＦ３０２は、仮にその内部のスイッチ９２１〜９２ｎがすべてオンであれば、第１の周波数帯域Ｆ１とは異なる第２の周波数帯域Ｆ２を通過帯域とし、ＢＰＦ３０３は、仮にその内部のスイッチ９３１〜９３ｎがすべてオンであれば、第１及び第２の周波数帯域Ｆ１及びＦ２とは異なる第３の周波数帯域Ｆ３を通過帯域とする。従って、配電線ＩＦ２０１（従って、それを備えたモデム）は、スイッチ９０１のみがオンとされた状態では、図６（ａ）に示すように、周波数帯域Ｆ１以外の周波数帯域（Ｆ２，Ｆ３）ではハイインピーダンス状態となり、スイッチ９０２のみがオンとされた状態では、図６（ｂ）に示すように、周波数帯域Ｆ２以外の周波数帯域（Ｆ１，Ｆ３）ではハイインピーダンス状態となり、スイッチ９０３のみがオンとされた状態では、図６（ｃ）に示すように、周波数帯域Ｆ３以外の周波数帯域（Ｆ１，Ｆ２）ではハイインピーダンス状態となる。
【００２１】
このようにスイッチ９０１〜９０３は、制御信号によって制御され、ＢＰＦ３０１〜３０３を選択的に遮断し、それにより、遮断されたＢＰＦの通過帯域において配電線ＩＦ２０１をハイインピーダンス状態にする第１の遮断制御手段として用いられている。
【００２２】
ＢＰＦ５１１〜５３ｎはそれぞれ、互いに異なる帯域通過特性を有する。そのうち、ＢＰＦ５１１〜５１ｎは、例えば図３に示すように、ＢＰＦ３０１の周波数帯域Ｆ１を細分割した周波数帯域Ｆ１１〜Ｆ１ｎを通過帯域とする。同様に、ＢＰＦ５２１〜５２ｎは、ＢＰＦ３０２の周波数帯域Ｆ２を細分割した周波数帯域Ｆ２１〜Ｆ２ｎ（図示しない）を通過帯域とする。同様に、ＢＰＦ５３１〜５３ｎは、ＢＰＦ３０３の周波数帯域Ｆ３を細分割した周波数帯域Ｆ３１〜Ｆ３ｎ（図示しない）を通過帯域とする。これらの細分割した周波数帯域は、例えばマルチキャリア通信方式、例えばＯＦＤＭ方式のキャリア周波数に対応するものである。
【００２３】
スイッチ９０１がオン、スイッチ９０２、９０３がオフの状態で、スイッチ９１１〜９１ｎの一部が選択的にオンとなり、他のスイッチがオフ（遮断状態）となるように制御されると、オンとなったスイッチに接続されたＢＰＦの周波数帯域以外の周波数帯域においてハイインピーダンス状態となる。例えば、スイッチ９０１がオン、スイッチ９０２、９０３がオフで、かつＢＰＦ３０１内のスイッチ９１１〜９１ｎのううちのスイッチ９１３のみがオフであれば、モデムの周波数特性は図７（ａ）に示すようになり、スイッチ９０１がオンで、かつＢＰＦ３０１内のスイッチ９１１〜９１ｎのううちのスイッチ９１３のみがオンであれば、モデムの周波数特性は図７（ｂ）に示すようになる。
【００２４】
同様に、スイッチ９０２がオン、スイッチ９０１、９０３がオフの状態で、スイッチ９２１〜９２ｎの一部が選択的にオンとなり、他のスイッチがオフ（遮断状態）となるように制御されると、オンとなったスイッチに接続されたＢＰＦの周波数帯域以外の周波数帯域においてハイインピーダンス状態となる。
同様に、スイッチ９０３がオン、スイッチ９０１、９０２がオフの状態で、スイッチ９３１〜９３ｎの一部が選択的にオンとなり、他のスイッチがオフ（遮断状態）となるように制御されると、オンとなったスイッチに接続されたＢＰＦの周波数帯域以外の周波数帯域においてハイインピーダンス状態となる。
【００２５】
スイッチ９１１〜９３ｎは、細分割された周波数帯域の各々においてモデムをハイインピーダンス状態にする。このように、スイッチ９１１〜９３ｎは、ＩＦ制御手段２０７からの制御信号によって制御され、ＢＰＦ５１１〜５３ｎを選択的に遮断し、それにより、遮断されたＢＰＦの通過帯域において配電線ＩＦ２０１をハイインピーダンス状態にする第２の遮断制御手段として用いられている。
【００２６】
例えば、図１の第１のネットワーク８０１を構成する通信装置のモデムの配電線ＩＦ２０１では、スイッチ９０１がオンとされ、かつＢＰＦ３０１内のスイッチ９１１〜９１ｎのうちのスイッチ９１３のみがオフとされ、モデムの周波数特性は図７（ａ）に示すようになり、第２のネットワーク８０２を構成する通信装置のモデムの配電線ＩＦ２０１では、スイッチ９０１がオンで、かつＢＰＦ３０１内のスイッチ９１１〜９１ｎのうちのスイッチ９１３のみがオンとされ、モデムの周波数特性は図７（ｂ）に示すようになる。
このような制御を行うことにより、一つのネットワークにおいて一つのキャリア周波数による通信を行っている間に他のネットワークにおいて同じ周波数帯域内の他のキャリア周波数で通信を行うことを可能にする。
また、第３のネットワーク８０３を構成する通信装置のモデムの配電線ＩＦ２０１では、スイッチ９０２がオンで、スイッチ９０１，９０３がオフとされ、モデムの周波数特性は図６（ｂ）に示すようになる。
【００２７】
上記のような配電線ＩＦ２０１の制御とともに、ＰＨＹ２０２が配電線ＩＦ２０１で選択された周波数（ハイインピーダンスとなっていない周波数）において変復調を行うようにＰＨＹ制御手段２０６により、制御される。
【００２８】
以上のような配電線ＩＦ及びＰＨＹの制御は以下に説明するように、通信データとともに送られる制御情報に基づいて行われる。
【００２９】
図８は、本実施の形態における配電線通信の通信データの構成を示す図である。
図中１００は情報フレームのデータフォーマットを示し、１０１は、使用すべき周波数帯域を示す制御情報、１０３は通信データの内容であるペイロードである。
制御情報１０１は、３つの周波数帯域Ｆ１〜Ｆ３のうちのどの周波数帯域を選択すべきかを示す情報を示す情報（第１の制御情報）１０１ａと、各周波数帯域のうちのどの細分割された周波数帯域、即ちキャリア周波数を使用すべきかを示す情報（第２の制御情報）１０１ｂとを含む。１０３は通信データの内容であるペイロードである。
【００３０】
配電線２０８での通信を行う際に、図１に示すように、第１のネットワーク８０１では、周波数帯域Ｆ１のうち、細分割した周波数帯域、即ちキャリア周波数Ｆ１３以外の部分を使用し、ネットワーク８０１を構成する通信装置２１１ａ、２１１ｂのモデム２００ａ、２００ｂは、図７（ａ）の入出力インピーダンス特性で動作する。
第２のネットワーク８０２では、周波数帯域Ｆ１のうちの、細分割した周波数帯域、即ちキャリア周波数Ｆ１３を使用し、ネットワーク８０２を構成する通信装置２１１ｃ、２１１ｄのモデム２００ｃ、２００ｄは、図７（ｂ）の入出力インピーダンス特性で動作する。
第３のネットワーク８０３では、周波数帯域Ｆ２を使用し、ネットワーク８０３を構成する通信装置２１１ｅ、２１１ｆのモデム２００ｅ、２００ｆは、図６（ｂ）の入出力インピーダンス特性で動作する。
【００３１】
ネットワーク８０１の装置間で通信を行う際、送信側の通信装置のモデムのＭＡＣ２０３で、情報フレーム１００の制御情報１０１が第１の周波数帯域Ｆ１を指定する第１の制御情報１０１ａを含むように情報の付加を行い、さらに制御情報１０１が第１の周波数帯域Ｆ１のうちの周波数帯域Ｆ１３以外の部分（キャリア周波数Ｆ１３以外のキャリア周波数）を選択する第２の制御情報１０１ｂを含むように、情報の付加を行う。
受信側の通信装置のモデムのＭＡＣ２０３で情報フレーム１００を検出し、情報解析手段２０５で情報フレーム１００の情報を解析し、解析結果に基づく情報をＩＦ制御手段２０７とＰＨＹ制御手段２０６に送る。
ＰＨＹ制御手段２０６は、ＰＨＹ２０２が。第１の周波数帯域Ｆ１のうちの周波数帯域Ｆ１３以外の部分（キャリア周波数Ｆ１３以外のキャリア周波数）でデータの変復調を行うよう（即ち、第１の周波数帯域Ｆ１を用い、かつキャリア周波数Ｆ１３以外のキャリア周波数を使用するデータの変復調を行うよう）制御する。
ＩＦ制御手段２０７は、配電線ＩＦ２０１が、第１の周波数帯域Ｆ１以外の周波数帯域Ｆ２，Ｆ３、及び第１の周波数帯域Ｆ１のうちの周波数帯域Ｆ１３でハイインピーダンス状態となるように、即ち図７（ａ）に示す周波数特性となるように制御する。
【００３２】
ネットワーク８０２の装置間で通信を行う際、送信側の通信装置のモデムのＭＡＣ２０３で、情報フレーム１００の制御情報１０１が第１の周波数帯域Ｆ１を指定する第１の制御情報１０１ａを含むように情報の付加を行い、さらに制御情報１０１が第１の周波数帯域Ｆ１のうちの周波数帯域Ｆ１３(キャリア周波数Ｆ１３)を選択する第２の制御情報１０１ｂを含むように、情報の付加を行う。
受信側の通信装置のモデムのＭＡＣ２０３で情報フレーム１００を検出し、情報解析手段２０５で情報フレーム１００の情報を解析し、解析結果に基づく情報をＩＦ制御手段２０７とＰＨＹ制御手段２０６に送る。
ＰＨＹ制御手段２０６は、ＰＨＹ２０２が。第１の周波数帯域Ｆ１のうちの周波数帯域Ｆ１３(キャリア周波数Ｆ１３)でデータの変復調を行うよう（即ち、第１の周波数帯域Ｆ１内のキャリア周波数Ｆ１３を使用したデータの変復調を行うよう）制御する。
ＩＦ制御手段２０７は、配電線ＩＦ２０１が、第１の周波数帯域Ｆ１以外の周波数帯域Ｆ２，Ｆ３、及び第１の周波数帯域Ｆ１のうちの周波数帯域Ｆ１３(キャリア周波数Ｆ１３)以外でハイインピーダンス状態となるように、即ち図７（ｂ）に示す周波数特性となるように制御する。
【００３３】
ネットワーク８０３の装置間で通信を行う際、送信側の通信装置のモデムのＭＡＣ２０３で、情報フレーム１００の制御情報１０１が第２の周波数帯域Ｆ２を指定する第１の制御情報１０１ａを含むように情報の付加を行い、さらに制御情報１０１が第２の周波数帯域Ｆ２のうちのすべての周波数帯域Ｆ２１〜Ｆ２ｎ（すべてのキャリア周波数）を選択する第２の制御情報１０１ｂを含むように情報の付加を行う。
受信側の通信装置のモデムのＭＡＣ２０３で情報フレーム１００を検出し、情報解析手段２０５で情報フレーム１００の情報を解析し、解析結果に基づく情報をＩＦ制御手段２０７とＰＨＹ制御手段２０６に送る。
ＰＨＹ制御手段２０６は、ＰＨＹ２０２が第２の周波数帯域Ｆ２でデータの変復調を行うよう制御する。
ＩＦ制御手段２０７は、配電線ＩＦ２０１が第２の周波数帯域Ｆ２以外の周波数帯域Ｆ１，Ｆ３でハイインピーダンス状態となるように、即ち図６（ｂ）に示す周波数特性となるように制御する。
【００３４】
このような制御を行うことにより、一つのネットワークにおいて一つの周波数帯域による通信を行っている間に他のネットワークにおいて他の周波数帯域による通信を行った場合に、一つの通信端末の入出力インピーダンスが低いために、他の通信端末が影響を受けるのを避けることができるほか、一つのネットワークにおいて一つのキャリア周波数による通信を行っている間に他のネットワークにおいて同じ周波数帯域内の他のキャリア周波数で通信を行うことを可能になり、この場合にも、当該ネットワークで使用していないキャリア周波数における通信装置の入出力インピーダンスが低いことによる相互干渉を抑制することができる。
即ち、同一配電線内で複数のネットワークを構築する際に、同じネットワークを構成する通信装置のモデムは、そのネットワークで使用される周波数帯域において通信システムに適したインピーダンス状態とされ、使用しない周波数ではハイインピーダンス状態とされる。この結果、異なるネットワークのモデムに対するインピーダンス負荷をかけることがなく、同一ネットワーク間の通信品質を上げることができる。また、細分割した周波数毎にインピーダンスを切り換えることができるので、限られた周波数帯域を有効に利用することができる。
【００３５】
なお、上記の例では、第１及び第２のネットワーク８０１及び８０２がともに第１の周波数帯域Ｆ１を用い、第３のネットワーク８０３が第２の周波数帯域Ｆ２を用いて通信を行うものとし、第３の周波数帯域Ｆ３を余らせているが、一つのネットワークで２つの周波数帯域を用いることとしてもよい。例えば、第１及び第２のネットワーク８０１及び８０２で上記と同様第１の周波数帯域Ｆ１を用いる一方、第３のネットワーク８０３で第２及び第３の周波数帯域Ｆ２，Ｆ３を用いることとしてもよい。但し、いずれにしても、異なるネットワーク間では同じ周波数帯域を用いないようにする。即ち、周波数帯域を排他的に使用することとする。
【００３６】
また、実施の形態では通信システムで用いられる周波数帯域の数が３つであり、各モデムが３つのＢＰＦ３０１〜３０３を有するが、通信システムで用いられる周波数帯域の数は２つでよく４つ以上でもよい。モデムは通信システムで用いられる周波数帯域の数に等しいＢＰＦ（ＢＰＦ３０１〜３０３に相当するもの）を備える。
【００３７】
さらに、上記の例では、一つのネットワーク８０１で、一つの周波数帯域Ｆ１の一つのキャリア周波数Ｆ１３以外のキャリア周波数帯域を用い、他のネットワーク８０２で、上記一つのキャリ周波数Ｆ１３を用いているが、上記一つのネットワークで２つのキャリア周波数以外の周波数帯域を用い、上記他のネットワーク８０２で当該２つ以上のキャリ周波数を用いることとしてもよい。例えば、上記一つのネットワーク８０１で２つのキャリア周波数Ｆ１２，Ｆ１３以外の周波数帯域を用い、上記他のネットワーク８０２で上記２つのキャリア周波数Ｆ１２，Ｆ１３を用いることとしてもよい。但し、いずれにしても異なるネットワーク間では同一のキャリア周波数を用いないようにする。即ちキャリア周波数を排他的に使用することとする。
さらにまた、ＢＰＦ３０１〜３０３の各々の周波数帯域を細分割するためのＢＰＦ（例えばＢＰＦ３０１内のＢＰＦ５１１〜５１ｎなど）の数は２つ以上であればいくつでもよい。
【図面の簡単な説明】
【００３８】
【図１】本発明の実施の形態における同一配電線上における複数系統のネットワークを示す図である。
【図２】本発明の実施の形態における配電線通信の使用周波数の帯域分割を示す図である。
【図３】本発明の実施の形態における配電線通信の使用周波数の帯域細分割を示す図である。
【図４】本発明の実施の形態におけるモデム装置の構成ブロック図である。
【図５】本発明の実施の形態における配電線ＩＦの構成を示す図である。
【図６】（ａ）〜（ｃ）は、本発明の実施の形態におけるモデム装置のインピーダンス特性を示す図である。
【図７】（ａ）及び（ｂ）は、本発明の実施の形態におけるモデム装置のインピーダンス特性を示す図である。
【図８】本発明の実施の形態における情報フレームのデータフォーマットを示す図である。
【符号の説明】
【００３９】
１００  情報フレーム、  １０１  制御情報、  １０１ａ  第１の制御情報、  １０１ｂ  第２の制御情報、  ２００  モデム装置、  ２０１  配電線ＩＦ、  ２０２  ＰＨＹ、  ２０３  ＭＡＣ、  ２０４  通信ＩＦ、  ２０５  情報解析手段、  ２０６  ＰＨＹ制御手段、  ２０７  ＩＦ制御手段、  ３０１，３０２，３０３，５１１〜５１ｎ，５２１〜５２ｎ，５３１〜５３ｎ，９０１，９０２，９０３，９１１〜９１ｎ，９２１〜９２ｎ，９３１〜９３ｎ  スイッチ。
【図１】
2007281996.tif 000003
【図２】
2007281996.tif 000004
【図３】
2007281996.tif 000005
【図４】
2007281996.tif 000006
【図５】
2007281996.tif 000007
【図６】
2007281996.tif 000008
【図７】
2007281996.tif 000009
【図８】
2007281996.tif 000010